(57)【要約】【課題】チップマウントユニットと電気配線テープとを接合する際に、チップマウントユニット、特に記録素子が受ける温度をより精度よく管理する。【解決手段】インクジェット記録ヘッドの製造装置は、チップマウントユニット１００と電気配線テープ４０１とを圧着して、記録素子ユニットを形成する。電気配線テープ４０１をチップマウントユニット１００に圧着させる圧着ツール１２１は、熱硬化性接着剤を加熱する加熱手段１２３と、チップマウントユニット１００と電気配線テープ４０１とが密着させられたときに、チップマウントユニット１００と対向する面に開口する、少なくとも一つの空間部１３４ａと、空間部の各々に設けられた、チップマウントユニット１００の温度を測定する温度センサ１２４ａとを有している【選択図】  図２
2006212913.tif 000002
【特許請求の範囲】
【請求項１】
素子基板上にインクを吐出する記録素子が形成されたチップマウントユニットと、前記記録素子にインクを吐出する電気信号を印加する電気配線テープとを圧着して、記録素子ユニットを形成する、インクジェット記録ヘッドの製造装置において、
前記電気配線テープを前記チップマウントユニットに圧着させる圧着ツールは、
前記電気配線テープと前記チップマウントユニットとの間に介在する熱硬化性接着剤を加熱する加熱手段と、
前記チップマウントユニットと前記電気配線テープとが密着させられたときに、前記チップマウントユニットと対向する面に開口する、少なくとも一つの空間部と、
前記空間部の各々に設けられ、前記チップマウントユニットの温度を測定する温度センサとを有していることを特徴とする、
インクジェット記録ヘッドの製造装置。
【請求項２】
少なくとも１つの前記空間部は、前記チップマウントユニットと前記電気配線テープとが密着させられたときに、前記記録素子に面する位置に形成されている、請求項１に記載のインクジェット記録ヘッドの製造装置。
【請求項３】
少なくとも１つの他の前記空間部は、前記チップマウントユニットと前記電気配線テープとが密着させられたときに、前記素子基板の前記記録素子が設けられていない位置に面する位置に形成されている、請求項２に記載のインクジェット記録ヘッドの製造装置。
【請求項４】
前記温度センサで測定された温度に基づいて、前記加熱手段の発生熱量を制御する温度制御手段を有している、請求項１から３のいずれか１項に記載のインクジェット記録ヘッドの製造装置。
【請求項５】
前記温度センサは、前記電気配線テープが装着されたときに該電気配線テープと接触しない非接触式の温度センサである、請求項１から４のいずれか１項に記載のインクジェット記録ヘッドの製造装置。
【請求項６】
前記圧着ツールは、前記電気配線テープを吸着して保持する吸着手段を有している、請求項１から５のいずれか１項に記載のインクジェット記録ヘッドの製造装置。
【請求項７】
前記チップマウントユニットを前記電気配線テープに密着させる下部圧着ツールをさらに有し、
前記圧着ツールおよび前記下部圧着ツールの少なくとも一方は、前記チップマウントユニットと前記電気配線テープとを前記熱硬化性接着剤を介して互いに密着させるように、他方に対して対向運動できる、請求項１から７のいずれか１項に記載のインクジェット記録ヘッドの製造装置。
【請求項８】
素子基板上にインクを吐出する記録素子が形成されたチップマウントユニットと、該記録素子にインクを吐出する電気信号を印加する電気配線テープとを接合するステップを、少なくとも一つの空間部が一つの面に開口して設けられ、該空間部の各々に温度センサが設けられた圧着ツールを用いておこなう、インクジェット記録ヘッドの製造方法であって、
前記チップマウントユニットと前記電気配線テープとを対向させ、熱硬化性接着剤を介して互いに密着させるとともに、前記一つの面を前記電気配線テープに対向させる位置決めステップと、
前記チップマウントユニットの、前記電気配線テープとの密着面を含む該電気配線テープとの対向面の温度を前記温度センサによって測定し、測定された温度に基づいて該チップマウントユニットへの加熱量を制御しながら、該チップマウントユニットと前記電気配線テープとを加温圧着する接合ステップと
を有している、インクジェット記録ヘッドの製造方法。
【請求項９】
前記位置決めステップは、少なくとも１つの前記空間部が前記記録素子に面するように、前記前記チップマウントユニットと前記電気配線テープとを密着させることを含んでいる、請求項８に記載のインクジェット記録ヘッドの製造方法。
【請求項１０】
前記位置決めステップは、少なくとも１つの他の前記空間部が前記素子基板の前記記録素子が設けられていない位置に面するように、前記チップマウントユニットと前記電気配線テープとを密着させることを含んでいる、請求項９に記載のインクジェット記録ヘッドの製造方法。
【請求項１１】
前記温度センサは、前記電気配線テープが装着されたときに該電気配線テープと接触しない、非接触式の温度センサである、請求項８から１０のいずれか１項に記載のインクジェット記録ヘッドの製造方法。
【請求項１２】
前記位置決めステップは、前記電気配線テープを吸着して保持することを含んでいる、請求項８から１１のいずれか１項に記載のインクジェット記録ヘッドの製造方法。
【請求項１３】
前記位置決めステップは、前記チップマウントユニットと前記電気配線テープとの相対位置を画像処理によって調整するステップを含んでいる、請求項８から１２のいずれか１項に記載のインクジェット記録ヘッドの製造方法。
【請求項１４】
前記接合ステップによって、前記チップマウントユニットと前記電気配線テープとを仮接合し、
前記接合ステップの後に、前記チップマウントユニットと前記電気配線テープとを再度加温圧着して、本接合するステップを有している、
請求項８から１３のいずれか１項に記載のインクジェット記録ヘッドの製造方法。
【発明の詳細な説明】
【技術分野】
【０００１】
本発明は、インクジェット記録ヘッドの製造装置及び製造方法に関し、特に、チップマウントユニットと電気配線テープとの接合装置および接合方法に関する。
【背景技術】
【０００２】
まず、図８から１０を参照して、素子基板の略垂直方向に液滴を吐出する、いわゆるサイドシュータ型のインクジェット方式の記録ヘッド（以下、インクジェット記録ヘッドという。）の構成について説明する。
【０００３】
図８にはインクジェット記録ヘッドの全体斜視図を、図９には記録素子ユニットの分解斜視図を示す。インクジェット記録ヘッド５は、記録素子ユニット１０およびチップタンク２０から構成されている。記録素子ユニット１０は、図９に示すように、チップマウントユニット１００と、電気配線テープ４０１とから構成されている。チップマウントユニット１００は、記録素子２０１，２０２が、マクラ部材３０１を介して、素子基板１０１に精度良くマウントされて構成されている。記録素子２０１はカラーインクに対応し、記録素子２０２はブラックインクに対応している。電気配線テープ４０１は、記録素子２０１，２０２にインクを吐出する電気信号を印加するテープで、プリンタ本体（図示せず）から送られてくる電気信号を受け取る外部信号入力端子（図示せず）を備えている。
【０００４】
次に、図１０を参照して、記録素子２０１の構造を説明する（同図には記録素子２０１だけを示すが、記録素子２０２も同一の構造である。）。記録素子２０１は、厚さ０．５〜１ｍｍのシリコン基板２０１ｂ上に、インクを吐出するノズル列２０１ａと、長溝状の貫通口からなるインク流路であるインク供給口２０１ｃと、インク吐出手段であるヒーター列２０１ｄと、電極部２０１ｅとが形成されて構成されている。ノズル列２０１ａは樹脂材料からなり、フォトリソ技術により形成されている。ヒーター列２０１ｄは、インク供給口２０１ｃを挟んだ両側にそれぞれ１列ずつ千鳥状に配列されている。電極部２０１ｅは、電気配線（図示せず）によってヒーター列２０１ｄと接続され、シリコン基板２０１ｂの両外側に多数の接続パッドが備えられている。接続パッドには、電気配線テープ４０１との電気的接続をとるＡｕスタッドバンプが形成されている。
【０００５】
電気配線テープ４０１はテープ基材、配線、カバー層からなる積層体であり、一例としてＴＡＢ(Tape Automated Bonding)テープが挙げられる。記録素子２０１、２０２を受け入れるデバイスホール４０２（図９参照）の周縁部は素子接続部を構成しており、デバイスホール４０２の内側に露出した配線であるインナーリード（図示せず）が設けられている。電気配線テープ４０１は、カバー層の側がチップタンク２０の表面に向けられて、接着層（図示せず）を介して接着固定されている。
【０００６】
電気配線テープ４０１と記録素子２０１，２０２の各々とは、熱超音波圧着法や異方性導電テープを介して電気的に接続される。ＴＡＢテープの場合は熱超音波圧着法によるインナーリードボンディング（ＩＬＢ）が好適である。図８，９に示す記録素子ユニット１０においては、電気配線テープ４０１のインナーリードと記録素子２０１，２０２上のスタッドバンプとがＩＬＢ接合されている。
【０００７】
チップマウントユニット１００に電気配線テープ４０１を接合する工程は、例えば特許文献１に一例が述べられているが、概略以下のようにおこなわれる。まず、電気配線テープ４０１と、熱硬化性接着剤である接着剤を塗布したチップマウントユニット１００とを、別々の圧着ツールで挟むようにしながら、圧着ツールに内蔵されたヒーターで加熱された圧着ツールを各々上昇・下降させて、電気配線テープ４０１とチップマウントユニット１００とを密着させ、圧着する。電気配線テープ４０１とチップマウントユニット１００との位置あわせのため、図１１に示すように、電気配線テープ４０１を保持する圧着ツールには空間部１１３６ａ，１１３６ｂが設けられ、空間部１１３６ａ，１１３６ｂに設置されたカメラ（図示せず）によって、電気配線テープ４０１と記録素子２０２との相対位置が認識される。ヒーターの温度制御のため、圧着ツールには温度センサ（図示せず）が設けられている。温度センサは、電気配線テープ４０１とチップマウントユニット１００とを密着させる障害とならないように、電気配線テープ４０１とチップマウントユニット１００との接合部から離れた、圧着ツールの端部に設けられている。
【０００８】
圧着工程は、電気配線テープと、チップマウントユニットに備えられた記録素子との位置合わせ、および仮接合を行う仮圧着工程と、接着剤を本硬化させて電気配線テープのキャッピング平面を形成する本圧着工程とに分けられることが多い。
【特許文献１】特開２００４−９０３５３号公報
【発明の開示】
【発明が解決しようとする課題】
【０００９】
しかしながら、チップマウントユニットに電気配線テープを接合する従来技術には、接着剤が硬化した後に、記録素子が変形したり、記録素子に形成されている樹脂材料のノズルが剥がれるといった問題があった。これは、シリコン基板のインク供給孔が接着剤の硬化収縮もしくは線膨張の差によって変形するためであると考えられる。
【００１０】
特に、仮圧着工程では、急激な昇温が必要とされるとともに、記録素子を仮固定できる程度に接着剤を硬化させる温度選定が必要であり、記録素子は一般的に高温に曝されやすい。一方、本圧着工程では、接着剤の硬化条件に相当する温度範囲が仮圧着工程より広くとれるため、仮圧着のような熱の課題は生じにくい。このように、記録素子は、特に仮圧着工程において熱による影響を受けるために、チップマウントユニットに過大な温度をかけることなく、チップマウントユニットと電気配線テープとを接合することが望ましい。
【００１１】
しかし、従来技術では、温度センサと、チップマウントユニットと電気配線テープとの接合部が離れており、ヒーターの設定温度と実際の圧着ツールの温度、特に上記の接合部の温度との間に差が生じていた。このためヒーターの設定温度は、このような差を見込んで設定する必要があり、温度制御の信頼性は必ずしも十分であるとはいえなかった。また、接合時にはチップマウントユニットが圧着ツールに挟み込まれ、上下の圧着ツールの間に隠れてしまうため、チップマウントユニットの温度を直接測定することも困難であった。
【００１２】
本発明は、かかる事情を踏まえて、チップマウントユニットと電気配線テープとを接合する際に、チップマウントユニット、特に記録素子が受ける温度をより精度よく管理することのできる、インクジェット記録ヘッドの製造装置及び製造方法を提供することを目的とする。
【課題を解決するための手段】
【００１３】
本発明のインクジェット記録ヘッドの製造装置は、素子基板上にインクを吐出する記録素子が形成されたチップマウントユニットと、記録素子にインクを吐出する電気信号を印加する電気配線テープとを圧着して、記録素子ユニットを形成するものである。電気配線テープをチップマウントユニットに圧着させる圧着ツールは、電気配線テープとチップマウントユニットとの間に介在する熱硬化性接着剤を加熱する加熱手段と、チップマウントユニットと電気配線テープとが密着させられたときに、チップマウントユニットと対向する面に開口する、少なくとも一つの空間部と、空間部の各々に設けられ、チップマウントユニットの温度を測定する温度センサとを有していることを特徴としている。
【００１４】
本発明のインクジェット記録ヘッドの製造方法は、素子基板上にインクを吐出する記録素子が形成されたチップマウントユニットと、記録素子にインクを吐出する電気信号を印加する電気配線テープとを接合するステップを、少なくとも一つの空間部が一つの面に開口して設けられ、空間部の各々に温度センサが設けられた圧着ツールを用いておこなう、インクジェット記録ヘッドの製造方法である。本製造方法は、チップマウントユニットと電気配線テープとを対向させ、熱硬化性接着剤を介して互いに密着させるとともに、一つの面を電気配線テープに対向させる位置決めステップと、チップマウントユニットの、電気配線テープとの密着面を含む電気配線テープとの対向面の温度を温度センサによって測定し、測定された温度に基づいてチップマウントユニットへの加熱量を制御しながら、チップマウントユニットと電気配線テープとを加温圧着して接合する接合ステップとを有している。
【発明の効果】
【００１５】
本発明のインクジェット記録ヘッドの製造装置および製造方法によれば、圧着ツールの空間部に温度センサが設けられているので、記録素子とチップマウントユニットとが互いに密着させられたときでも、記録素子やチップマウントユニットの表面温度を直接測定することができる。このため、チップマウントユニット、特に記録素子が受ける温度をより精度よく管理することができる。
【発明を実施するための最良の形態】
【００１６】
以下、図面を参照して、本発明のインクジェット記録ヘッドの製造装置及び製造方法の実施形態について説明する。本発明のインクジェット記録ヘッドの製造装置及び製造方法に係るインクジェット記録ヘッドの構造は、背景技術で述べたものと同じである。
【００１７】
本発明のインクジェット記録ヘッドの製造装置は、図１（ａ）に示す仮圧着ステージと、図１（ｂ）に示す本圧着ステージの２つのステージで構成されている。仮圧着ステージ１は、チップマウントユニット１００と電気配線テープ４０１との相対位置を画像処理によって調整し、チップマウントユニット１００の温度管理をしながら、チップマウントユニット１００と電気配線テープ４０１との仮接合を行う。本圧着ステージ２は、未硬化接着剤を完全硬化させて、チップマウントユニット１００と電気配線テープ４０１との本接合を行う。本発明のインクジェット記録ヘッドの製造装置は、仮圧着ステージ１の構成に特徴を有している。すなわち、詳細は後述するが、仮圧着ステージ１は、第２の圧着ツール１２１に温度センサ１２４ａ，１２４ｂとヒータ１２３とを内蔵し、温度センサ１２４ａ，１２４ｂはチップマウントユニット１００の表面温度を直接測定する。これに対して、本圧着ステージ２は、第２の圧着ツール２２１にヒータ２２３が内蔵されているが、温度センサ２２４は第２の圧着ツール２２１の、チップマウントユニット１００との接触部から離れた位置に設けられており、直接チップマウントユニット１００の表面温度を測定する構成となっていない。
【００１８】
図２には、仮圧着ステージの概略構成図を示す。仮圧着ステージ１は、チップマウントユニット１００を下側から電気配線テープ４０１に圧着させる下部圧着ツールである第１の圧着ツール１１１と、電気配線テープ４０１を保持しながら、電気配線テープ４０１をチップマウントユニット１００に上側から圧着させる第２の圧着ツール１２１とを備えている。
【００１９】
第１の圧着ツール１１１は、本体部１１２と、本体部１１２に内蔵されたヒーター１１３と、本体部１１２の縁部に設けられた温度センサ１１４と、ヒーター１１３の発熱量を制御する制御装置１１５とを備えている。
【００２０】
第２の圧着ツール１２１は、本体部１２２と、本体部１２２に内蔵されたヒーター１２３と、本体部１２２に内蔵された温度センサ１２４ａ，１２４ｂ（同図では１２４ａのみ示す。）と、ヒーター１２３の発熱量を制御する制御装置１２５と、カメラ１２６とを備えている。本体部１２２の第１の圧着ツール１１１と対向する面には、例えば負圧を利用して電気配線テープ４０１を吸着保持する吸着装置（図示せず）が設けられている。
【００２１】
温度センサ１２４ａ，１２４ｂは制御装置１２５に接続され、制御装置１２５は温度センサ１２４ａ，１２４ｂからの温度データを受信して、あらかじめ設定された目標温度に近づくように、ヒーター１２３の発熱量をフィードバック制御する。
【００２２】
第１，第２の圧着ツール１１１，１２１は、チップマウントユニット１００と電気配線テープ４０１とが熱硬化性接着剤を介して互いに密着するように、図中の矢印に示すように、他方に対して互いに対向運動することができる。ただし、第１，第２の圧着ツール１１１，１２１の一方だけが他方に対して対向運動するようにしてもよい。
【００２３】
図３には、第２の圧着ツール１２１を図２中３−３線からみた平面図を示す。破線は被接合物であるチップマウントユニット１００の素子基板１０１および記録素子２０１，２０２を示している。本体部１２２には、空間部１３４ａ，１３４ｂ，１３６が設けられ、各空間部１３４ａ，１３４ｂ，１３６は、図２に空間部１３４ａ，１３６の例を示すように、第１の圧着ツール１１１との対向面に開口している。空間部１３４ａは、チップマウントユニット１００が第１の圧着ツール１１１に装着され、第１，第２の圧着ツール１１１，１２１が所定の位置に位置あわせされたときに、記録素子２０１が位置する領域に開口するようにされている。空間部１３４ａの内部には、温度センサ１２４ａが設けられている。空間部１３４ｂは、同様にして、チップマウントユニット１００の中心近傍に開口するようにされており、内部に温度センサ１２４ｂが設けられている。空間部１３６の内部には、チップマウントユニット１００が第１の圧着ツール１１１に装着され、電気配線テープ４０１が第２の圧着ツール１２１に装着されたときに、電気配線テープ４０１と記録素子２０２との相対位置を認識するカメラ１２６が設けられている。
【００２４】
空間部１３４ａ，１３４ｂ，１３６は、本体部１２２を貫通する貫通孔であるが、少なくとも第１の圧着ツール１１１との対向面に開口していればよく、反対端部が本体部１２２の他の面に開口している必要はない。温度センサ１２４ａ，１２４ｂは、電気配線テープ４０１が装着されたときに電気配線テープ４０１と接触しない非接触式の温度センサであるが、接触式の温度センサでもかまわない。温度センサとしては、例えば、赤外線温度計、赤外線放射温度計などの非接触式熱放射センサ、または熱電対などの電気式センサが挙げられる。温度センサ１２４ａ，１２４ｂは、第２の圧着ツール１１１からの輻射熱などの影響を避けるため、別途温度検知の補正回路を有していてもよい。
【００２５】
図４に示すように、別の空間部および温度センサを記録素子２０２に対応する位置に設けることも可能である。同図では、ｘ〜ｚの３箇所で、温度測定がおこなわれる。また、図５に示すように、より多くの温度センサを設けてもよい。同図には、５つの空間部Ａ〜Ｅを設け、各空間部に接触式の温度センサ（図示せず）を取り付けた例を示している。５つの温度センサの測定値を用いて、チップマウントユニット１００の温度分布をより詳細に確認することができる。また、温度は、一般的には、チップマウントユニット１００の中心付近の空間部Ｅで最も高くなるため、空間部Ｅの位置での測定温度に基づいてヒータ１２３の発熱量を制御すれば、より精度の高い温度条件を設定することができる。
【００２６】
次に、本発明のインクジェット記録ヘッドの製造方法を、図６のフロー図を参照して説明する。
【００２７】
（ステップ６１）まず、チップマウントユニット１００をキャリアテープ１５に搭載し、ディスペンスや転写等の手法によって、あらかじめ接着剤を塗布しておく。接着剤は短時間で硬化し、硬化後比較的高い硬度を有し、かつ耐インク性のあるものが望ましく、エポキシ樹脂を主成分とした熱硬化性接着剤等が挙げられる。
【００２８】
（ステップ６２）次に、図１（ａ）に示すように、チップマウントユニット１００を、基準ピン（図示せず）にあわせて、第１の圧着ツール１１１の直上まで搬送する。電気配線テープ４０１は、第２の圧着ツール１２１に吸着されている。この状態で、第１の圧着ツール１１１を上昇させ、水平２方向のクランプを行い、チップマウントユニット１００の電気配線テープ４０１に対する位置を決める。
【００２９】
（ステップ６３）第１の圧着ツール１１１が測定位置まで上昇して静止し、第２の圧着ツール１２１が下降して、カメラ１２６によって電気配線テープ４０１、チップマウントユニット１００の順に画像認識して、チップマウントユニット１００と電気配線テープ４０１との相対位置をより精度よく合わせ込む。これによって、温度センサ１２４ａ，１２４ｂは、チップマウントユニット１００の、電気配線テープ４０１との密着面を含む電気配線テープ４０１との対向面における、下記に述べる所定の位置での温度を測定することができる。
【００３０】
（ステップ６４）次に、ヒータ１１３，１２３を作動させる。図７には、設定温度に対して緩やかに温度が上昇するようにヒータの発熱量を微調整している様子を示す。設定温度の調整はヒータの発熱量の調整によっておこなわれるが、ヒータの発熱量の調整方法には、ヒーターをON／OFFする方法と、ヒータの発熱量自体を可変制御する方法の両方が含まれる。後者の方法がより精度の高い温度制御が可能であることはいうまでもない。また、ヒータ１１３，１２３の運転開始時期は必ずしもこの段階である必要はなく、ステップ６４の前に第１の圧着ツール１１１，第２の圧着ツール１２１が所定の温度に加温されていれば、任意のタイミングで作動させることができる
（ステップ６５）次に、第２の圧着ツール１２１がさらに下降し、チップマウントユニット１００と電気配線テープ４０１とを、接着剤を介して互いに密着させる。
【００３１】
（ステップ６６）温度センサ１２４ａ，１２４ｂは、記録素子２０１の表面温度とチップマウントユニット１００の中心近傍の表面温度を各々測定して、測定結果を制御装置１２５に送信する。同様に、温度センサ１１４も第１の圧着ツール１１１の表面温度を検知して、測定結果を制御装置１１５に送信する。制御装置１１５，１２５は、このデータに基づいて目的の表面温度に近づくように、ヒーター１１３，１２３の発熱量を各々フィードバック制御する。以上によって、チップマウントユニット１００と電気配線テープ４０１との仮圧着が完了する。
【００３２】
（ステップ６７）次に、図１（ｂ）に示すように、仮圧着されたチップマウントユニット１００および電気配線テープ４０１を、キャリアテープ１５に乗せたまま本圧着ステージ２に供給し、再度加熱圧着して接着剤を硬化させる。その後、本圧着されたチップマウントユニット１００および電気配線テープ４０１を排出する。
【００３３】
以上のステップで、チップマウントユニット１００と電気配線テープ４０１が接着される。その後、チップマウントユニット１００をチップタンク２０に精度良く位置決めし、貼り合わせる。さらに、電気接続部分をインクによる腐食や外的衝撃から保護するため、電気接続部分を第１の封止剤１１及び第２の封止剤１２によって封止する（図８参照）。第１の封止剤１１は、主に素子基板１０１に貼り合わされた記録素子２０１，２０２の外周部を封止し、第２の封止剤１２は、記録素子２０１，２０２と電気配線テープ４０１との接続部の表側を封止する。封止後、電気配線テープ４０１の外部入力端子側をチップタンク２０の外形に合わせて折り曲げ接着する。その後、プリンタ本体との電気的接触を取る基板であるプリント配線板１３を電気配線テープ４０１の外部入力端子と電気的に接続する。接続には異方性導電フィルム（ＡＣＦテープ）が好適である。こうして記録素子２０１，２０２と外部入力端子との電気実装が完了した後、ＡＣＦテープによる接続箇所などをインクによる影響から保護するために、封止材１４を塗布する。
【００３４】
以上説明したように、本発明のインクジェット記録ヘッドの製造装置および製造方法は、仮圧着プロセスにおいて、被接合体である記録素子やチップマウントユニットの表面温度を、可動する第２の圧着ツール内に備えられた非接触式の温度センサで、圧着している瞬間に測定し、その値に基づいてヒータの発熱量制御を行う。従来は、圧着時には被接合体が圧着ツールに隠れてしまい、温度測定が困難であったのに対し、本発明では、第２の圧着ツール内に空間部を設けて温度センサを内蔵しているので、チップマウントユニットの表面温度を直接測定することが可能となった。記録素子の温度を直接測定することによって、記録素子が過度の高温にさらされることを防止しやすくなる。また、チップマウントユニットの中心位置の温度を直接測定することによって、接着面内の温度管理を行うことも容易となる。
【００３５】
以上のように、チップマウントユニットの実温度に基づいて、温度と時間を含む加熱パラメーターを調整できるため、最適な加熱条件を精度よく決定することができる。特に、熱衝撃に不利な記録素子自体の温度を検知し、制御することは、実装工程の熱の影響によるノズル剥がれやチップの変形など、品質問題を未然に防止できるというメリットを有する。
【００３６】
なお、本発明のインクジェット記録ヘッドの製造装置及び製造方法は以上述べた実施形態に限定されるものではない。一例として、温度センサは、記録素子の内部に設けることもできる。温度センサは、検知手段であるパターンと電気的に接続され、接合時には、温度制御装置が、内蔵された温度センサの測定温度に応じて、第２の圧着ツールに供給する電力を調整する。これによって、圧着ツールの表面温度が制御され、信頼性の高い温度制御が可能となる。また、第１の圧着ツールにも第２の圧着ツールと同様の空間部および温度センサを設けてもよい。この場合、チップマウントユニット１００の両面からの温度測定が可能となり、より信頼性の高い温度制御が可能となる。
【図面の簡単な説明】
【００３７】
【図１】本発明のインクジェット記録ヘッドの製造装置の概略構成図である。
【図２】図１に示すインクジェット記録ヘッドの製造装置の仮圧着ステージの概略構成図である。
【図３】第２の圧着ツールの、図２中３−３線からみた平面図である。
【図４】空間部および温度センサの他の配置例を示す概念図である。
【図５】空間部および温度センサの他の配置例を示す概念図である。
【図６】本発明のインクジェット記録ヘッドの製造方法を説明するフロー図である。
【図７】ヒータ発熱量の時刻歴を示す説明図である。
【図８】インクジェット記録ヘッドの全体斜視図である。
【図９】図８に示すインクジェット記録ヘッドの記録素子ユニットの分解斜視図である。
【図１０】図８に示すインクジェット記録ヘッドの記録素子の斜視図である。
【図１１】電気配線テープを保持する圧着ツールの平面図である。
【符号の説明】
【００３８】
１０  記録素子ユニット
１００  チップマウントユニット
１０１  素子基板
１１１  第１の圧着ツール
１２１  第２の圧着ツール
１２３  ヒーター
１２４ａ，１２４ｂ  温度センサ
１２５  制御装置
２０１，２０２  記録素子
４０１  電気配線テープ
【図１】
2006212913.tif 000003
【図２】
2006212913.tif 000004
【図３】
2006212913.tif 000005
【図４】
2006212913.tif 000006
【図５】
2006212913.tif 000007
【図６】
2006212913.tif 000008
【図７】
2006212913.tif 000009
【図８】
2006212913.tif 000010
【図９】
2006212913.tif 000011
【図１０】
2006212913.tif 000012
【図１１】
2006212913.tif 000013